(57)【特許請求の範囲】
【請求項１】
秤量部（２）と、前記秤量部に設けられて被測定物を所定方向に搬送する搬送部（３）とを有し、前記所定方向と交差する方向についての前記搬送部の寸法が同方向についての前記秤量部の寸法よりも小さい秤量装置（４）を、前記所定方向と交差する方向に複数並設してなる複連秤量装置（１）において、
前記所定方向について前記搬送部の過半が前記秤量部から突出して配置されるとともに、前記搬送部の重心が前記秤量部の側に設定され、
複数の前記秤量装置の複数の前記搬送部が前記所定方向について同一の位置で前記所定方向と交差する方向に並ぶように、複数の前記秤量装置を千鳥状に配設したことを特徴とする複連秤量装置。
【請求項２】
前記搬送部（３）が、少なくとも一対のローラ（５）と、これに掛け回されたベルト（６）と、前記ベルトを循環して駆動するモータ（７）を有しており、
前記モータが、前記一対のローラのうち、前記秤量部に近い側のローラ（５ａ）を駆動すべく当該ローラに近接して配置されていることを特徴とする請求項１記載の複連秤量装置（１）。
【発明の詳細な説明】
【０００１】
【発明の属する技術分野】
本発明は、秤量部に搬送部を取り付けてなる秤量装置を複数台並べて構成した複連秤量装置に関するものである。
【０００２】
【従来の技術】
図３は、従来の複連秤量装置１００の一例を示す平面図である。この複連秤量装置１００は、被測定物の重量を電磁力で釣り合わせ、その時の電流の大きさから重量を測定する電磁力平衡方式の秤量装置であり、ロードセル方式の秤量装置とは異なり、比較的小型・軽量の被測定物を高速かつ高精度で計量する場合に用いられる。
【０００３】
この複連秤量装置１００は、秤量部１０３に搬送部１０２を取り付けてなる秤量装置１０１を複数台並べて構成されている。各秤量装置１０１において、搬送部１０２が被測定物を所定方向に搬送する間、秤量部１０３がその重量を測定し、その結果に基づいて図示しない後段において被測定物の振り分け等の処理が行なわれる。
【０００４】
図３に示すように、各秤量装置１０１は、搬送方向と直交する方向についての搬送部１０２の寸法が、同方向についての秤量部１０３の寸法よりも小さい。即ち、基台となる秤量部１０３の幅（秤幅）よりも、その上に取り付けられた搬送部１０２の幅（コンベア幅）の方が狭い。従って、複数の秤量装置１０１を、搬送方向について同一の位置で、搬送方向と直交する方向に複数並べた場合には、その搬送部１０２の最小ピッチは図示のように秤量部１０３の配設ピッチと同一になる。
【０００５】
【発明が解決しようとする課題】
このように、図３に示した従来の複連秤量装置１００では、搬送部１０２の最小ピッチは、搬送部１０２よりも幅の大きい秤量部１０３の配設ピッチと同一になるため、搬送部１０２の間隔はかなり大きくなり、搬送部１０２の配置が疎らで装置の設置面積に対するスペース効率がよくないという問題があった。
【０００６】
そこで、本発明は、例えば電磁力平衡方式の秤量装置のように、比較的小型・軽量の被測定物を高速かつ高精度で計量する秤量装置であって、秤量部の幅が搬送部の幅よりも大きい秤量装置を複数並設して複連秤量装置を構成する場合において、同一の設置面積に対してより多数の秤量装置を設置できるようにしてスペース効率を向上させることを目的としている。
【０００７】
【課題を解決するための手段】
請求項１に記載された複連秤量装置１は、秤量部２と、前記秤量部２に設けられて被測定物を所定方向に搬送する搬送部３とを有し、前記所定方向と交差する方向についての前記搬送部３の寸法が同方向についての前記秤量部２の寸法よりも小さい秤量装置４を、前記所定方向と交差する方向に複数並設してなる複連秤量装置１において、前記所定方向について前記搬送部３の過半が前記秤量部２から突出して配置されるとともに、前記搬送部３の重心が前記秤量部２の側に設定され、複数の前記秤量装置４の複数の前記搬送部３が前記所定方向について同一の位置で前記所定方向と交差する方向に並ぶように、複数の前記秤量装置４を千鳥状に配設したことを特徴とする。
【０００８】
請求項２に記載された複連秤量装置は、請求項１記載の複連秤量装置１において、前記搬送部３が、少なくとも一対のローラ５と、これに掛け回されたベルト６と、前記ベルト６を循環して駆動するモータ７を有しており、前記モータ７が、前記一対のローラ５のうち、前記秤量部に近い側のローラ５ａを駆動すべく当該ローラ５ａに近接して配置されていることを特徴としている。
【０００９】
【発明の実施の形態】
本発明の実施の形態を図１及び図２を参照して説明する。
この複連秤量装置１は、被測定物の重量を電磁力で釣り合わせ、その時の電流の大きさから重量を測定する電磁力平衡方式の秤量装置であり、比較的小型・軽量の被測定物を高速かつ高精度で計量する場合に用いられる。この複連秤量装置１は、秤量部２に搬送部３を取り付けてなる秤量装置４を搬送方向に直行する方向（並設方向と呼ぶ）に複数台並べて構成されている。
【００１０】
秤量装置４は、秤量部２と、前記秤量部２に設けられて被測定物を搬送する搬送部３を有している。搬送部３は、一対のローラ５，５と、これに掛け回されたベルト６と、前記ベルト６を循環して移動させるために一方のローラ５を駆動するモータ７を有している。この秤量装置４では、ベルト６の幅（並設方向の寸法）が、秤量部２の幅（並設方向の寸法）よりも小さい。また、搬送方向について、搬送部３の半分以上の部分が秤量部２から突出して配置されている。そして、前記モータ７は秤量部２に近い側のローラ５ａを駆動すべく当該ローラ５ａに近接した位置に配置されており、搬送部３全体としての重心は秤量部２の側に位置している。
【００１１】
そして、図１に示すように、複数の秤量装置４を、搬送部３の突出方向が一つおきに逆になるように、かつ千鳥状になるように配置し、複数の秤量装置４の各搬送部３が搬送方向について同一の位置において並設方向に密に並ぶように構成した。
【００１２】
このように、本例によれば、搬送部３よりも幅の大きい秤量部２を有する秤量装置４を複数用いた複連秤量装置１において、搬送部３を秤量部２から突出させ、かつ複数の秤量装置４を設置面に千鳥状に密に配置することにより、複数の搬送部３を搬送方向について同一の位置で並設方向に従来よりも小さいピッチで配設することができた。従って、従来に比べ、同一の設置面積内に配置できる秤量装置４の数が増大し、コンベア幅よりも秤幅が大きいときでも省スペースが実現できる。
【００１３】
また、本例では上記千鳥配置によって省スペースを実現するため、搬送部３を秤量部２から突出させた構造としたが、搬送部３の安定性は十分に確保されている。即ち、重量物であるモータ７を秤量部２側に配置して搬送部３としての重心が秤量部２に来るようにしたので、搬送部３は安定した状態となり、被測定物が搬送部３に載せられた時の衝撃等により搬送部３が測定に有害な振動を起こしてしまう等の不都合は生じない。
【００１４】
【発明の効果】
本発明によれば、秤量部の幅が搬送部よりも大きい秤量装置を複数並べた複連秤量装置において、搬送部が秤量部から突出した構成とするととともに、この秤量装置を搬送部が対向するように千鳥に並べたので、複数の搬送部を所定方向について同一の位置で所定方向と交差する方向に密に並べることができた。これによって、秤幅がコンベア幅より大きいときでも秤の最小配置ピッチがコンベアの最小ピッチとなり、省スペースが実現できる。
【図面の簡単な説明】
【図１】本発明の実施の形態の一例である複連秤量装置の平面図である。
【図２】本発明の実施の形態の一例である複連秤量装置の正面図である。
【図３】従来の複連秤量装置の平面図である。
【符号の説明】
１…複連秤量装置、２…秤量部、３…搬送部、４…秤量装置、５…ローラ、６…ベルト、７…モータ。
【図１】
0003639564.tif 000002
【図２】
0003639564.tif 000003
【図３】
0003639564.tif 000004